(57)【要約】【課題】アナログ電子時計において時刻針の位置が不明である場合であっても、正確な時刻合わせをすることのできるアナログ電子時計、コンピュータ、時刻合わせシステム及び時刻合わせ方法を提供する。【解決手段】アナログ電子時計は、１又は複数の時刻針と、前記時刻針の位置合わせを行う操作部材であって、その操作中に前記時刻針の通常駆動を停止させる操作部材と、前記操作部材の操作終了時における前記時刻針が示す時刻である基準時刻と、現在時刻との差を特定する差情報を、コンピュータから受信する時計受信部と、前記差情報に基づいて、前記時刻針の位置を、現在時刻を示す位置に合わせる時刻合わせ部と、を有する。【選択図】図２
2017142120.tif 000002
【特許請求の範囲】
【請求項１】
１又は複数の時刻針と、
前記時刻針の位置合わせを行う操作部材であって、その操作中に前記時刻針の通常駆動を停止させる操作部材と、
前記操作部材の操作終了時における前記時刻針が示す時刻である基準時刻と、現在時刻との差を特定する差情報を、コンピュータから受信する時計受信部と、
前記差情報に基づいて、前記時刻針の位置を、現在時刻を示す位置に合わせる時刻合わせ部と、
を有するアナログ電子時計。
【請求項２】
前記差情報は、前記基準時刻を示す情報と、現在時刻を示す情報を含む、
請求項１に記載のアナログ電子時計。
【請求項３】
前記差情報は、前記基準時刻を示す情報と、現在時刻との時間差を示す情報を含む、
請求項１に記載のアナログ電子時計。
【請求項４】
前記操作部材の操作終了時に、前記コンピュータに対し前記操作部材の操作が終了したことを通知する時計送信部をさらに有する、
請求項１〜３のいずれか１項に記載のアナログ電子時計。
【請求項５】
前記時刻針は、少なくとも連動する時針及び分針を含み、前記操作部材の操作により機械的に位置合わせがされる、
請求項１〜４のいずれか１項に記載のアナログ電子時計。
【請求項６】
アナログ電子時計の時刻針の位置合わせを行う目標時刻である基準時刻を表示する表示部と、
前記基準時刻と、現在時刻を示す前記時刻針の位置との差を特定する差情報を前記アナログ電子時計に送信する送信部と、
を有するコンピュータ。
【請求項７】
前記表示部は、前記基準時刻として、少なくとも１の前記時刻針が正時方向の位置となる時刻を表示する、
請求項６に記載のコンピュータ。
【請求項８】
前記表示部は、前記基準時刻として、現在時刻よりも前の時刻を表示する、
請求項６又は７に記載のコンピュータ。
【請求項９】
前記操作部材の操作が終了したことを表す通知を、前記アナログ電子時計から受信する受信部を有し、
前記送信部は、前記操作部材の操作が終了したことを表す通知を受信した場合に、前記差情報を送信する、
請求項６〜８のいずれか１項に記載のコンピュータ。
【請求項１０】
請求項１〜５のいずれか１項に記載のアナログ電子時計と、請求項６〜９のいずれか１項に記載のコンピュータと、を含む時刻合わせシステム。
【請求項１１】
１又は複数の時刻針を有し、コンピュータから情報を受信するアナログ電子時計の時刻合わせ方法であって、
前記コンピュータが、前記アナログ電子時計の前記時刻針の位置合わせを行う目標時刻である基準時刻を表示し、
ユーザが、前記アナログ電子時計の前記時刻針を、前記基準時刻を示す位置に位置合わせし、
前記コンピュータが、前記基準時刻と、現在時刻との差を特定する差情報を、前記アナログ電子時計に送信し、
前記電子時計が、前記差情報に基づいて、前記時刻針の位置を、現在時刻を示す位置に合わせる、
時刻合わせ方法。
【発明の詳細な説明】
【技術分野】
【０００１】
本発明はアナログ電子時計、コンピュータ、時刻合わせシステム及び時刻合わせ方法に関する。
【背景技術】
【０００２】
いわゆるアナログ電子時計において、電気的通信により正確な時刻を受信することにより時刻針の位置を修正して、時刻合わせを行なうことが提案されている。
【０００３】
例えば、下記特許文献１には、基準時刻データ及び指針式時計の指針が指示する指示時刻データを指針式時計に送信する時刻修正指示装置と、受信した基準時刻データ及び指示時刻データの比較結果に基づいて、指針の指示を基準時刻データに修正する指針式時計と、を備える時刻修正システムが記載されている。
【先行技術文献】
【特許文献】
【０００４】
【特許文献１】特許第４２００８３５号公報
【発明の概要】
【発明が解決しようとする課題】
【０００５】
アナログ電子時計は、ステッピングモータ等の電気的動力により時刻針を駆動する。したがって、ある時刻における時刻針の回転位置が既知であれば、駆動による時刻針の回転量をカウントすることにより、時刻針の位置を知ることができる。
【０００６】
ここで、ユーザの操作によりアナログ電子時計の時刻合わせをする場合を考える。アナログ電子時計においては、ユーザの操作による時刻合わせとして、電子的に行う方法―すなわち、竜頭やプッシュボタン等の操作により受け付けた時刻針の回転補正量を一旦電気的な指令値として受け付け、かかる指令値に基づいて電気的動力を駆動することにより時刻針の位置を合わせる方法―と、機械的に行う方法―すなわち、時刻針を駆動する輪列を巻真と機械的に係合させ、竜頭を回すことにより、電気的動力と切り離された状態で時刻針を直接回転させて位置を合わせる方法―の２つがあり、前者では時刻針の回転量を電子的又は電気的に追跡することができるから、時刻針の位置は失われないが、後者ではユーザの操作による回転量が不明であるため、時刻合わせの操作後に時刻針の現在位置は失われる。
【０００７】
時刻合わせの操作をユーザの操作のみに依存して行う場合、ユーザは別に用意された時計などに示される正確な時刻を見ながら、タイミング良く操作をしなければならず、１秒前後の誤差が避けられない等、正確な時刻合わせをすることは難しい。そこで、近年、アナログ電子時計においても、いわゆるスマートフォン等の携帯端末から時刻情報を受信して、正確な時刻合わせを行なうことが試みられているが、かかる時刻合わせは時刻針の回転位置が既知であることを前提としており、上述のユーザの操作による時刻合わせを機械的に行う形式のアナログ電子時計に適用することはできない。上述の引用文献１に記載された発明は、かかる形式のアナログ電子時計にも適用できる可能性があるものと考えられるが、駆動中のアナログ電子時計の時々刻々と変化する時刻針の位置を正確に読み取る必要があり、専用の時刻修正装置を要する等、ユーザが気軽に利用できるものとは言い難い。
【０００８】
本発明はかかる事情に鑑みてなされたものであり、その目的は、アナログ電子時計において時刻針の位置が不明である場合であっても、正確な時刻合わせをすることのできるアナログ電子時計、コンピュータ、時刻合わせシステム及び時刻合わせ方法を提供することである。
【課題を解決するための手段】
【０００９】
上記課題を解決すべく本出願において開示される発明は種々の側面を有しており、それら側面の代表的なものの概要は以下の通りである。
【００１０】
（１）アナログ電子時計は、１又は複数の時刻針と、前記時刻針の位置合わせを行う操作部材であって、その操作中に前記時刻針の通常駆動を停止させる操作部材と、前記操作部材の操作終了時における前記時刻針が示す時刻である基準時刻と、現在時刻との差を特定する差情報を、コンピュータから受信する時計受信部と、前記差情報に基づいて、前記時刻針の位置を、現在時刻を示す位置に合わせる時刻合わせ部と、を有する。
【００１１】
（２）（１）において、前記差情報は、前記基準時刻を示す情報と、現在時刻を示す情報を含む、アナログ電子時計。
【００１２】
（３）（１）において、前記差情報は、前記基準時刻を示す情報と、現在時刻との時間差を示す情報を含む、アナログ電子時計。
【００１３】
（４）（１）〜（３）のいずれかにおいて、前記操作部材の操作終了時に、前記コンピュータに対し前記操作部材の操作が終了したことを通知する時計送信部をさらに有する、アナログ電子時計。
【００１４】
（５）（１）〜（４）のいずれかにおいて、前記時刻針は、少なくとも連動する時針及び分針を含み、前記操作部材の操作により機械的に位置合わせがされる、アナログ電子時計。
【００１５】
（６）コンピュータは、アナログ電子時計の時刻針の位置合わせを行う目標時刻である基準時刻を表示する表示部と、前記基準時刻と、現在時刻を示す前記時刻針の位置との差を特定する差情報を前記アナログ電子時計に送信する送信部と、を有する。
【００１６】
（７）（６）において、前記表示部は、前記基準時刻として、少なくとも１の前記時刻針が正時方向の位置となる時刻を表示する、コンピュータ。
【００１７】
（８）（６）又は（７）において、前記表示部は、前記基準時刻として、現在時刻よりも前の時刻を表示する、コンピュータ。
【００１８】
（９）（６）〜（８）のいずれかにおいて、前記操作部材の操作が終了したことを表す通知を、前記アナログ電子時計から受信する受信部を有し、前記送信部は、前記操作部材の操作が終了したことを表す通知を受信した場合に、前記差情報を送信する、コンピュータ。
【００１９】
（１０）（１）〜（５）のいずれかのアナログ電子時計と、（６）〜（９）のいずれかのコンピュータと、を含む時刻合わせシステム。
【００２０】
（１１）時刻合わせ方法は、１又は複数の時刻針を有し、コンピュータから情報を受信するアナログ電子時計の時刻合わせ方法であって、前記コンピュータが、前記アナログ電子時計の前記時刻針の位置合わせを行う目標時刻である基準時刻を表示し、ユーザが、前記アナログ電子時計の前記時刻針を、前記基準時刻を示す位置に位置合わせし、前記コンピュータが、前記基準時刻と、現在時刻との差を特定する差情報を、前記アナログ電子時計に送信し、前記電子時計が、前記差情報に基づいて、前記時刻針の位置を、現在時刻を示す位置に合わせる。
【発明の効果】
【００２１】
上記本発明の（１）〜（３）、（６）、（１０）及び（１１）の側面によれば、アナログ電子時計において時刻針の位置が不明である場合であっても、正確な時刻合わせをすることができる。
【００２２】
また、上記本発明の（４）、（９）の側面によれば、操作部材の操作を終了したあと、追加の操作を必要とせずに正確に時刻合わせがなされる。
【００２３】
また、上記本発明の（５）の側面によれば、操作部材の操作により機械的に時刻針の位置合わせを行う構成のアナログ時計において、正確な時刻合わせをすることができる。
【００２４】
また、上記本発明の（７）の側面によれば、アナログ電子時計の時刻針の位置を、基準時刻を示す位置に正確に合わせやすく、操作部材の操作ミスによる時刻合わせのずれを低減できる。
【００２５】
また、上記本発明の（８）の側面によれば、時刻合わせに要する時間が短くて済む。
【図面の簡単な説明】
【００２６】
【図１】本発明の実施形態に係る電子時計の外観の一例を示す平面図である。
【図２】本発明の実施形態に係る時刻合わせシステムの機能ブロック図である。
【図３】本発明の実施形態に係る時刻合わせシステムにおいて実行される時刻合わせ処理の一例を示すフローチャートである。
【図４】本発明の実施形態に係る携帯端末に表示される基準時刻の一例を示す図である。
【図５】本発明の実施形態に係る携帯端末から送信される差情報の第１の例を示す図である。
【図６】本発明の実施形態に係る携帯端末から送信される差情報の第２の例を示す図である。
【図７】本発明の実施形態に係る時刻合わせシステムにおいて実行される時刻合わせ処理の変形例を示すフローチャートである。
【図８】本発明の実施形態に係る時刻合わせシステムにおいて実行される前処理を示すフローチャートである。
【発明を実施するための形態】
【００２７】
以下、本発明の実施の形態について、図面を参照しながら説明する。
【００２８】
図１は、本発明の実施形態に係るアナログ電子腕時計１の外観の一例を示す平面図である。本実施形態に係るアナログ電子腕時計１は、一般的なアナログ時計の外観を有し、１又は複数の時刻針、ここでは、時針２２、分針２３及び秒針２１を電気的動力、ここではステッピングモータにより回転駆動させ、時刻を表示するようになっている。時刻針は何らかの時刻を指し示すためのアナログ表示部材であり、代表的なものは指針であるが、特殊なものとして、回転円板や、レトログラードなども時刻針に含まれ得る。本実施形態では、３本の時刻針である時針２２、分針２３及び秒針２１は輪列により互いに連動しており、１のステッピングモータにより３本の時刻針全てが駆動されるものとなっている。なお、時刻針が時々刻々と変化する現在時刻を動的に表示している駆動状態を、通常駆動と呼ぶこととする。
【００２９】
竜頭２は、その操作により時刻針の位置合わせ―すなわち、時刻合わせ―を行う操作部材である。竜頭２の操作方法は一般的なアナログ腕時計のものと同様であり、竜頭２を引き出して、回転させることにより時刻針を手動で回転させ、所望の位置となった時点で竜頭２を押し込むというものである。本実施形態では、竜頭２を引き出すことにより、時針２２及び分針２３を駆動する輪列と、竜頭２が取り付けられた巻真とが機械的に係合して、竜頭２を回すと、つられて時針２２及び分針２３が連動して回転するようになっている。この時、時針２２及び分針２３とステッピングモータ間のパワートレーンは切り離される。一方、秒針２１は巻真とは係合せず、竜頭２の操作によっては回転しない。このとき、秒針２１はステッピングモータと係合した状態のままとされるため、ステッピングモータが回転すれば秒針２１も連動して回転することになるが、アナログ電子腕時計１は、竜頭２が引き出された状態では、通常駆動を停止して、ステッピングモータの回転を止めるため、秒針２１はそのままの位置で停止することになる。
【００３０】
また、アナログ電子腕時計１は、コンピュータである携帯端末３０との間で近距離無線通信を行う機能を有している。近距離無線通信を行うための通信回路やアンテナは、外装（時計ケース）である胴内に納められている。近距離無線通信の規格は特に限定されず、公知のいかなるものであってもよい。さらに、アナログ電子腕時計１は必要に応じて適宜の任意の意匠を有するものであってよい。例えば、ここで例示した時刻針以外の指針や日付、曜日の表示、デジタルディスプレイその他の表示部材を有するものであってもよい。また、文字板１０や時刻針の配置などのデザインは一例であり、どのようなものであってもよい。さらに、時針２２、分針２３及び秒針２１は全てが互いに連動して回転するものでなくともよく、例えば、時針２２と分針２３のみが連動し、秒針２１は別途設けられたステッピングモータにより独立に駆動されるものであってもよい。また、竜頭２の操作時に、通常駆動が停止されることは必要であるが、巻真と時刻針とが機械的に係合することは必ずしも必要ではない。しかしながら、時刻針が互いに連動して回転するものであれば、ステッピングモータの数が少なくて済み、また、巻真と時針２２及び分針２３が機械的に係合する機構は、一般的なアナログ電子時計として広く用いられているものであり、簡易かつ低コストな構造であって、信頼性が高いメリットがある。
【００３１】
アナログ電子腕時計１には、文字板１０を覆うようにガラス等の透明材料により形成された風防が胴に取り付けられている。また、風防の反対側においては裏蓋が胴に取り付けられている。本明細書では、以降、電子腕時計１の風防が配置される方向（図１における紙面手前方向）を表側、裏蓋が配置される方向（図１における紙面奥方向）を裏側と呼ぶ。
【００３２】
図２は、本発明の第１の実施形態に係る時刻合わせシステム１００の機能ブロック図である。時刻合わせシステム１００は、携帯端末３０と、アナログ電子腕時計１とを含み、電子腕時計１の時刻合わせを行うシステムである。なお、同図に示した各ブロックには、携帯端末３０及び電子腕時計１に搭載されたプロセッサ等の汎用の情報処理回路上で実行されるプログラムによりソフトウェア的に実現される機能に注目して示すものが含まれており、必ずしも各ブロックに対応する物理的構成を必要とするものではない。
【００３３】
本実施形態では、アナログ電子腕時計１と相互に通信するコンピュータとして、携帯端末３０を例示している。携帯端末３０は、スマートフォンやタブレットＰＣ等の携帯に適した型式のコンピュータであり、インターネット等の外部回線に接続されることにより、正確な時刻情報を取得できるものである。もちろん、コンピュータは携帯端末３０に限定されず、据え置き型等、携帯に適さない型式のものであってもよい。携帯端末３０は、操作受付部３１と、端末通信部３２と、基準時刻決定部３３と、現在時刻取得部３４と、差情報生成部３５と、表示部３６とを有する。操作受付部３１は、電子腕時計１の秒針２１を回転させるための操作を受け付ける。上述したように、本実施形態では、アナログ電子腕時計１の竜頭２を引き出した状態では、竜頭２の操作によって秒針２１を回転させることができない一方、秒針２１はステッピングモータと係合した状態のままであるため、ステッピングモータを駆動させることにより、秒針２１を単独で回転させて位置合わせをすることができる。携帯端末３０の操作受付部３１により操作が受け付けられると、後述するように、携帯端末３０からアナログ電子腕時計１に、秒針２１を回転させる指令である秒針操作情報が通知される。
【００３４】
端末通信部３２は、端末送信部３２ａと、端末受信部３２ｂとを含み、時計通信部４１と無線通信を行う。具体的には、端末通信部３２と時計通信部４１は、近距離無線通信により通信を行う。端末送信部３２ａは、時刻針４３が指し示すべき基準時刻と、現在時刻との差を特定する差情報を送信する。端末受信部３２ｂは、時刻針４３の位置合わせを行う竜頭２の操作が開始されたことを表す通知と、竜頭２の操作が終了したことを表す通知を、アナログ電子腕時計１から受信する。
【００３５】
基準時刻決定部３３は、竜頭２の操作終了時における時刻針４３が指し示すべき基準時刻を決定する。基準時刻決定部３３は、少なくとも１の時刻針４３が正時方向となる位置を基準時刻として決定してよい。本実施形態では、時刻針４３には連動して回転する時針２２、分針２３が含まれるから、基準時刻は、分針２３が各正時方向を指す時刻である、毎時０分、５分、・・・、５５分の５分刻みの時刻のいずれかとなる。また、基準時刻決定部３３は、現在時刻よりも前の時刻を基準時刻として決定してよい。
【００３６】
現在時刻取得部３４は、外部回線を通じて現在時刻を取得する。現在時刻取得部３４は、インターネット回線を通じて、例えばいわゆる時刻サーバから正確な現在時刻を取得してもよいし、携帯端末３０の有するＧＰＳ（Ｇｌｏｂａｌ  Ｐｏｓｉｔｉｏｎｉｎｇ  Ｓｙｓｔｅｍ）機能等を利用して、時差情報やサマータイム情報を取得して、現在位置に応じた現在時刻を取得してもよい。
【００３７】
差情報生成部３５は、竜頭２の操作終了時における時刻針４３が指し示す基準時刻と、現在時刻との差を特定する差情報を生成する。差情報は、基準時刻を示す情報と、現在時刻を示す情報を含むものであってよいし、基準時刻と、現在時刻との時間差を示す情報を含むものであってもよい。基準時刻を示す情報は、基準時刻そのものであっても、基準時刻を指し示す時刻針４３の位置その他基準時刻を特定することができる任意の情報であってもよい。現在時刻を示す情報についても同様である。時間差を示す情報は、時間差そのものであってもよいし、時刻針４３において、当該時間差に相当する位置の差やカウント数、すなわち、当該時間差に相当するだけ時刻針４３を進めるのに必要なステッピングモータのステップ数その他時間差を特定することができる任意の情報であってもよい。
【００３８】
表示部３６は、アナログ電子腕時計１の時刻針４３の位置合わせを行う目標時刻である基準時刻を表示する。ここで、基準時刻の表示形式は特に限定されないが、本実施形態では、ユーザの直感的な理解のため、アナログ電子腕時計１の時刻針４３が当該基準時刻を指している状態の画像が表示されるようになっている。基準時刻は、時々刻々と変化する現在時刻とは異なり、特定の変化しない時刻である。
【００３９】
アナログ電子腕時計１は、時計通信部４１と、竜頭２と、時刻合わせ部４２と、時刻針４３と、秒針２１とを含む。
【００４０】
時計通信部４１は、時計送信部４１ａと、時計受信部４１ｂとを含み、携帯端末３０の端末通信部３２と近距離無線通信により通信する。時計送信部４１ａは、竜頭２の操作開始時に、携帯端末３０に対し竜頭２の操作が開始されたことを通知し、竜頭２の操作終了時に、携帯端末３０に対し竜頭２の操作が終了したことを通知する。時計受信部４１ｂは、竜頭２の操作終了時における時刻針４３が示す時刻である基準時刻と、現在時刻との差を特定する差情報を、携帯端末３０から受信する。
【００４１】
竜頭２は、図１に示した通りのものであり、時刻針４３の位置合わせを行う際に操作する部材である。竜頭２は、３時方向に引くことで操作が開始され、９時方向に押しこむことで操作が終了する。竜頭２の操作開始及び操作終了は、時計通信部４１により携帯端末３０に通知される。
【００４２】
時刻合わせ部４２は、携帯端末３０から受信した差情報に基づいて、時刻針４３の位置を、現在時刻を示す位置に合わせる。また、携帯端末３０から受信した指令に従って、秒針２１の位置合わせを行う。
【００４３】
本実施形態では、時刻針４３には、時針２２と分針２３が含まれる。そして、上述の通り、時針２２と分針２３とは連動して回転し、時針２２は、分針が１回転すると、連動して１／１２回転する。時刻針４３の位置合わせは、ユーザが、竜頭２を回すことにより基準時刻を指し示す位置に位置合わせする操作と、時刻合わせ部４２が、時刻針４３を早送りすることにより自動で現在時刻を指し示す位置に位置合わせする動作の２つの場合に行われる。
【００４４】
図３は、本発明の実施形態に係る時刻合わせシステム１００において実行される時刻合わせ処理の一例を示すフローチャートである。時刻合わせ処理は、ユーザがアナログ電子腕時計１の竜頭２を引き出すことではじまる（Ｓ１）。また、竜頭２を引き出すことにより、時刻針４３の通常駆動は停止される。
【００４５】
竜頭２が引かれると、時計送信部４１ａは、携帯端末３０に対し竜頭２の操作が開始されたことを通知する（Ｓ２）。当該通知は、携帯端末３０の端末受信部３２ｂで受信され（Ｓ３）、携帯端末３０において時刻合わせアプリケーションが起動される。なお、竜頭２の操作が開始されたことの通知を端末受信部３２ｂで受信した場合、時刻合わせアプリケーションを立ち上げるようユーザに呼びかけるメッセージを携帯端末３０に表示してもよく、メッセージを確認したユーザが時刻合わせアプリケーションを起動させてもよい。
【００４６】
時刻合わせアプリケーションは、表示部３６により、アナログ電子腕時計１の時刻針４３が指し示すべき基準時刻を表示する（Ｓ４）。また、秒針操作情報を受け付けて、秒針操作情報をアナログ電子腕時計１に送信する（Ｓ５）。
【００４７】
図４は、本発明の実施形態に係る携帯端末３０に表示される基準時刻を示す画像の一例を示す図である。同図では、表示部３６に表示される画面の一例を示しており、基準時刻表示３６ａと、基準時刻説明文３６ｂと、秒針逆転ボタン３６ｃと、秒針正転ボタン３６ｄと、を含む。
【００４８】
基準時刻表示３６ａは、時刻針４３が基準時刻を指し示している様子を図示する。また、基準時刻説明文３６ｂは、「基準時刻は、『１５時０分０秒』です。」という文字からなり、ユーザに基準時刻を説明する。基準時刻は、携帯端末３０の基準時刻決定部３３により決定される。
【００４９】
ユーザは、表示部３６に表示された基準時刻表示３６ａ及び基準時刻説明文３６ｂを確認して、手動で竜頭２を回転させ、時刻針４３、ここでは時針２２及び分針２３が基準時刻を指し示すよう位置合わせする。また、竜頭２の操作によっては、秒針２１の位置を合わせることはできないので、ユーザは、表示部３６に表示された秒針逆転ボタン３６ｃ及び秒針正転ボタン３６ｄを選択して、アナログ電子腕時計１の秒針２１を正転又は逆転させ、基準時刻を指し示すよう位置合わせする。秒針逆転ボタン３６ｃ及び秒針正転ボタン３６ｄが選択される度、携帯端末３０から電子腕時計１に秒針操作情報が送信され、電子腕時計１の時刻合わせ部４２によりステッピングモータに対し駆動パルスが印加され、秒針２１が１秒分正転又は逆転される。秒針逆転ボタン３６ｃ及び秒針正転ボタン３６ｄの長押し操作がなされた場合に、秒針２１を連続動作させてもよい。本例の場合、ユーザは、竜頭２、秒針逆転ボタン３６ｃ及び秒針正転ボタン３６ｄを操作して、アナログ電子腕時計１の秒針２１、時針２２及び分針２３を１５時０分０秒の位置に合わせる。
【００５０】
図３に戻り、アナログ電子腕時計１の時計受信部４１ｂにより、携帯端末３０から秒針操作情報を受信すると（Ｓ６）、時刻合わせ部４２により秒針２１の位置合わせが行なわれる（Ｓ７）。また、ユーザによる竜頭２の操作により、時針２２及び分針２３の位置合わせが行なわれる（Ｓ８）。その後、ユーザにより竜頭２が９時方向に押し込まれ、竜頭２の操作が終了すると（Ｓ９）、通常駆動が再開されるとともに、時計送信部４１ａにより、携帯端末３０に対して竜頭２の操作が終了したことが通知される（Ｓ１０）。
【００５１】
携帯端末３０は、竜頭２の操作が終了したことを受信すると（Ｓ１１）、現在時刻取得部３４により現在時刻を取得する（Ｓ１２）。なお、携帯端末３０がカメラを備える場合、竜頭２の操作が終了したことの通知を端末受信部３２ｂにより受信した際に、ユーザに対し、カメラによりアナログ電子腕時計１を表側から撮影するように指示してもよい。そして、カメラにより撮影されたアナログ電子腕時計１の画像を解析し、秒針２１、時針２２及び分針２３が基準時刻を示す位置に合わせられているか判定してよい。ここで、正しく位置合わせされていると判定される場合、現在時刻取得部３４により現在時刻を取得し、正しく位置合わせされていないと判定される場合、ユーザに修正を促すメッセージを表示して、Ｓ４以降の処理を行うこととしてもよい。現在時刻取得部３４により現在時刻が取得された後、差情報生成部３５は、基準時刻と、取得した現在時刻との差を特定する差情報を生成する（Ｓ１３）。生成された差情報は、端末送信部３２ａによりアナログ電子腕時計１に送信される（Ｓ１４）。
【００５２】
アナログ電子腕時計１は、時計受信部４１ｂにより差情報を受信し（Ｓ１５）、時刻合わせ部４２は、受信した差情報に基づいて、時刻針４３の位置を現在時刻を示す位置に自動で位置合わせする（Ｓ１７）。この位置合わせは、受信した差情報が例えば基準時刻と現在時刻との時刻差である場合には、かかる時刻差に相当する時刻針４３の移動量となるカウント数を求め、かかるカウント数分の時刻針４３の早送りをすることにより容易に行うことができる。このとき、早送りは通常駆動と同時に行われるため、早送り中に時間が進むことにより、位置合わせされた時刻がずれることはない。
【００５３】
ここで、ステップＳ９でユーザが竜頭２を押し込んでから、ステップＳ１５で差情報を受信するまでは、ごくわずかな時間しかかからない。そのため、ユーザが竜頭２を押し込んでからアナログ電子腕時計１が差情報を受信するまでのタイムラグは、時刻合わせにほとんど影響を及ぼさないと考えられるため無視しているが、アナログ電子腕時計１側でステップＳ９でユーザが竜頭２を押し込んでから、ステップＳ１５で差情報を受信するまでの時間を計測しておき、かかる時間を受信した差情報に加算することで、より正確な時刻合わせを行うようにしてもよい。
【００５４】
本実施形態に係る時刻合わせシステム１００によれば、時刻針４３の位置がアナログ電子腕時計から見て不明である場合であっても、携帯端末３０等の汎用のコンピュータを利用して、専用の時刻修正装置を必要とすることなく、正確な時刻合わせをすることができる。
【００５５】
ここで、本実施形態では、アナログ電子腕時計１は、竜頭２による時刻針４３の位置合わせを機械的に行う形式のものであった。そのため、ユーザが竜頭２を引き出すと、時針２２及び分針２３がパワートレーンから切り離され、自由回転可能となるので、その位置はアナログ電子腕時計１から見て失われ、不明となる。しかしながら、本実施形態に係る時刻合わせシステム１００は、かかる形式のアナログ電子腕時計１にのみ適用されるべきものではなく、時刻合わせを電子的に行う形式のアナログ電子腕時計に対しても、その時刻針の位置が不明となる場合には有効に用いることができる。そのような場合として、例えば、電源電圧の低下や電池交換により一時的に機能停止し、時刻針の位置が失われた場合や、外部からの衝撃などにより、時刻針の位置がずれた場合等が考えられる。
【００５６】
図５は、本発明の実施形態に係る携帯端末３０から送信される差情報の第１の例（第１の差情報５０ａ）を示す図である。第１の差情報５０ａは、基準時刻を示す基準時刻情報５１と、現在時刻を示す現在時刻情報５２を含む。基準時刻情報５１は、基準時刻が、１５時０分０秒であることを表している。また、現在時刻情報は、現在時刻が１５時１０分５秒であることを示している。第１の差情報５０ａを受信したアナログ電子腕時計１は、時刻針４３が、ユーザにより基準時刻を指し示す位置に位置合わせされていることを前提として、時刻針４３の位置合わせを行う。本例の場合、アナログ電子腕時計１は、第１の差情報５０ａに基づいて基準時刻と現在時刻との差を演算し、時刻針４３を１０分５秒に相当する角度だけ正転方向に早送りする。
【００５７】
差情報は、図５に示した型式（第１の差情報５０ａ）に限定されない。図６は、本発明の実施形態に係る携帯端末３０から送信される差情報の第２の例（第２の差情報５０ｂ）を示す図である。第２の差情報５０ｂは、基準時刻と、現在時刻との時間差を示す時間差情報５３を含む。時間差情報５３は、基準時刻と、現在時刻との時間差が１０分５秒であることを表している。第２の差情報５０ｂを受信したアナログ電子腕時計１は、時刻針４３が、ユーザにより基準時刻を指し示す位置に位置合わせされていることを前提として、時間差情報５３に基づいて、時刻針４３の位置合わせを行う。本例の場合、アナログ電子腕時計１は、時間差情報５３に従い、時刻針４３を１０分５秒に相当する角度だけ正転方向に早送りする。
【００５８】
上述した実施形態では、時刻合わせシステム１００は、アナログ電子腕時計１の竜頭２を引き出す操作により、時刻合わせ処理を開始したが、これに限定されず、その他の操作、例えば、竜頭２の引き出し後の回転や、アナログ電子腕時計１に別途設けられたプッシュボタン等の操作により時刻合わせ処理を開始してもよく、或いは、後述するように、携帯端末３０上の操作により時刻合わせ処理を開始するようにしてもよい。また、時刻合わせ操作の終了、すなわち、操作終了情報が生じるタイミングも、竜頭２の押し込み時に限定されるものでなく、アナログ電子腕時計１又は携帯端末３０上の任意の操作により時刻合わせ操作を終了するものとしてよい。このとき、アナログ電子腕時計１における通常駆動の再開は、時刻合わせ操作の終了時から行うとよい。
【００５９】
また、本実施形態に係る携帯端末３０は、図４に示した例のように、基準時刻として、少なくとも１の時刻針４３が正時方向の位置となる時刻を表示部３６に表示する。通常、アナログ電子腕時計１の文字板１０の正時方向の位置には時字が設けられており、位置合わせの際の目印となるため、ユーザが竜頭２を操作して時刻針４３を位置合わせする際に、容易かつ正確に位置合わせしやすい。そのため、基準時刻決定部３３が、少なくとも１の時刻針４３が正時方向の位置となる時刻を基準時刻とすると、ユーザにとって、より容易でかつ正確な時刻合わせを行うことができる。
【００６０】
さらに、本実施形態に係る携帯端末３０は、基準時刻として、現在時刻よりも前の時刻を表示部３６に表示する。例えば、図５に示すように、現在時刻が１５時１０分前後であるのに対して、基準時刻は１５時０分０秒である等である。基準時刻が現在時刻よりも前である場合、図３のステップＳ１６において時刻合わせ部４２が時刻針４３を位置合わせする際に、時刻針４３の早送り方向は指し示す時刻を進める方向、すなわち、正転方向となる。一般的に、アナログ電子腕時計１において時刻針４３の駆動に用いられるステップモータは、正転方向の回転速度のほうが逆転方向の回転速度よりも高速である特徴を有しているから、基準時刻を現在時刻よりも前の時刻とすることで、時刻針４３の自動位置合わせ時の早送り回転方向を高速な正転方向とすることができ、位置合わせに要する時間を短縮することができる。なお、基準時刻決定部３３は、現在時刻よりも前の時刻のうち、現在時刻に最も近い、少なくとも１の時刻針４３が正時方向の位置となる時刻を基準時刻として決定してよい。
【００６１】
図７は、本発明の実施形態に係る時刻合わせシステム１００において実行される時刻合わせ処理の変形例を示すフローチャートである。本変形例の時刻合わせ処理は、図３に示した時刻合わせ処理の例と比較して、時刻合わせ処理の開始方法が異なる。具体的には、本変形例では、ユーザが携帯端末３０を操作して時刻合わせアプリケーションを起動させる（又は当該時刻合わせアプリケーション上で所定の操作、例えばボタンを選択する等を行う）ことから時刻合わせ処理が開始されるのに対して、図３に示した例では、ユーザが電子腕時計１の竜頭２を引くことで時刻合わせ処理が開始される点が異なる。
【００６２】
本変形例による時刻合わせ処理は、ユーザが携帯端末３０を操作して時刻合わせアプリケーションを起動させることにより始まる。時刻合わせアプリケーションが起動されると、携帯端末３０は、アナログ電子腕時計１に対して運針停止情報を送信する（Ｓ２０）。運針停止情報の送信は、ユーザが時刻合わせアプリケーションを起動した際に自動で送信してもよいし、ユーザからの明示の指令により送信してもよい。
【００６３】
アナログ電子腕時計１の時計受信部４１ｂにより運針停止情報が受信されると（Ｓ２１）、時刻合わせ部４２により通常駆動が停止される（Ｓ２２）。これにより、時刻針４３や、秒針２１の運針は停止する。一方、携帯端末３０の表示部３６には、基準時刻が表示される（Ｓ２３）。時刻合わせアプリケーションは、ユーザによる秒針操作を受け付けて、秒針操作情報をアナログ電子腕時計１に送信する（Ｓ２４）。なお、基準時刻の表示や秒針操作の受付は、運針停止情報の送信以後であればよく、基準時刻の表示は、運針停止情報の送信と同時であってもよい。
【００６４】
アナログ電子腕時計１の時計受信部４１ｂにより、携帯端末３０から秒針操作情報を受信すると（Ｓ２５）、時刻合わせ部４２により秒針２１の位置合わせが行なわれる（Ｓ２６）。また、ユーザにより竜頭２が３時方向に引かれ（Ｓ２７）、竜頭２の操作により、時針２２及び分針２３の位置合わせが行なわれる（Ｓ２８）。その後、ユーザにより竜頭２が９時方向に押し込まれ、竜頭２の操作が終了すると（Ｓ２９）、時計送信部４１ａにより、携帯端末３０に対して竜頭２の操作が終了したことが通知される（Ｓ３０）。
【００６５】
携帯端末３０は、竜頭２の操作が終了したことを受信すると（Ｓ３１）、現在時刻取得部３４により現在時刻を取得する（Ｓ３２）。そして、差情報生成部３５は、決定した基準時刻と、取得した現在時刻とに基づいて、基準時刻と現在時刻との差を特定する差情報を生成する（Ｓ３３）。生成された差情報は、端末送信部３２ａによりアナログ電子腕時計１に送信される（Ｓ３４）。
【００６６】
アナログ電子腕時計１は、時計受信部４１ｂにより差情報を受信し（Ｓ３５）、時刻合わせ部４２は、受信した差情報に基づいて、時刻針４３の位置を現在時刻を示す位置に自動で位置合わせする。（Ｓ３６）。この位置合わせの方法は、先の例で示したものと同様の方法であってよい。
【００６７】
本変形例に係る時刻合わせ処理によれば、航空機による移動中等、携帯端末３０とアナログ電子腕時計１との近距離無線通信が使用できない場合や、携帯端末３０の電源が入っておらず、時刻合わせが行えない場合に、誤ってアナログ電子腕時計１を操作して、アナログ電子腕時計１に表示される時刻が却ってずれてしまうという事態が防止される。
【００６８】
図８は、本発明の実施形態に係る時刻合わせシステム１００において実行される前処理を示すフローチャートである。同図では、電子腕時計１と携帯端末３０との通信が必ずしも確立されていない場合に、電子腕時計１において行なわれる処理を示している。
【００６９】
本処理は、竜頭操作情報が記憶されているか否かの判定から始まる（Ｓ４０）。ここで、竜頭操作情報とは、操作部材である竜頭２がユーザにより操作されたことを示す情報である。竜頭操作情報を記憶するタイミングについては、後に詳しく説明する。
【００７０】
竜頭操作情報が記憶されていない場合、竜頭２が引かれているか否かが判定される（Ｓ４１）。竜頭２が引かれていない場合、前処理は終了する。竜頭２が引かれている場合、時計通信部４１と携帯通信部３２との接続が確立しているか否かが判定される（Ｓ４２）。ここで、接続済みと判定される場合、電子腕時計１から携帯端末３０に対し、時刻合わせアプリケーションの立ち上げを指示する情報が送信される（Ｓ４３）。ここで、時刻合わせアプリケーションの立ち上げを指示する情報は、時刻合わせアプリケーションを自動で起動させる指令であってもよいし、時刻合わせアプリケーションの起動をユーザに促す指示画面の表示指令であってもよい。その後に行う処理は、図３のＳ３以降の処理であってもよいし、図７のＳ２０以降の処理であってもよい。
【００７１】
携帯端末３０との接続が確立されていないと判定される場合、時計通信部４１は、携帯通信部３２との接続を試行する（Ｓ４４）。試行後、再度携帯端末３０との接続状態について判定し（Ｓ４５）、接続が確立している場合は時刻合わせアプリケーションの立ち上げを指示する情報を送信する（Ｓ４３）。一方、携帯端末３０との通信が確立されない場合、竜頭操作情報を記憶する（Ｓ４６）。電子腕時計１は、竜頭２の引き出しや回転を検知する検知機構を備えて、当該検知機構からの検知情報に基づいて、自動で竜頭操作情報を記憶してもよいし、ユーザによる操作部材の操作に基づいて、竜頭操作情報を記憶してもよい。
【００７２】
図８に示すフローチャートの先頭に戻り、竜頭操作情報が記憶されている場合（Ｓ４０：Ｙ）、携帯端末３０から電子腕時計１との接続を試みるようユーザに促すため、変則運針を行う（Ｓ４７）。変則運針は、通常の計時動作以外のものであればよく、例えば秒針２１を数秒間反時計回りに回転させる運針であってよい。
【００７３】
その後、携帯端末３０との接続状態について判定し（Ｓ４５）、接続が確立している場合は、竜頭操作情報をリセットして（Ｓ４９）、時刻合わせアプリケーションの立ち上げを指示する情報を送信する（Ｓ４３）。一方、携帯端末３０との通信が確立されない場合、処理を終了する。なお、携帯端末３０との接続状態についての判定は、変則運針を行った後、一定の期間にわたって行ってよい。
【００７４】
本処理によれば、携帯端末３０の電源が切られている場合等、携帯端末３０と電子腕時計１の接続が行えない場合であっても、ユーザに対し携帯端末３０の操作を促し、携帯端末３０と電子腕時計１の接続を確立させることができ、時刻合わせ処理を行うことができる。
【００７５】
以上、本発明に係る実施形態について説明したが、この実施形態に示した具体的な構成は一例として示したものであり、本発明の技術的範囲をこれに限定することは意図されていない。
【００７６】
例えば、上述の実施形態では、秒針２１を携帯端末３０の操作受付部３１により受け付けた操作により位置合わせをするものとして説明したが、これに替えて、別途アナログ電子腕時計１に設けたプッシュボタンなどの竜頭２以外の操作部材を用いて位置合わせをするものとしてもよい。或いは、竜頭２を２段階に引き出すことができるものとしておき、竜頭２をさらに引き出すことにより、竜頭２の回転により秒針２１の位置合わせができるものとしてもよい。さらに、秒針２１等、一部の指針に、その位置を検出する機構を設けておき、位置が検出可能である指針に限っては、ユーザによる位置合わせを要求することなく、時刻合わせ部４２による自動の位置合わせを行ってもよい。そのような位置検出機構の一例としては、秒針２１と連動して回転するスリット（又は穴）付き円板と、光電センサを用いて、秒針２１が０秒位置にあることを検出するもの等が挙げられる。
【００７７】
当業者は、これら開示された実施形態を適宜変形してもよく、本明細書にて開示される発明の技術的範囲は、そのようになされた変形をも含むものと理解すべきである。
【符号の説明】
【００７８】
１  アナログ電子腕時計、２  竜頭、１０  文字板、２１  秒針、２２  時針、２３  分針、３１  操作受付部、３２  端末通信部、３２ａ  端末送信部、３２ｂ  端末受信部、３３  基準時刻決定部、３４  現在時刻取得部、３５  差情報生成部、３６  表示部、３６ａ  基準時刻表示、３６ｂ  基準時刻説明文、３６ｃ  秒針逆転ボタン、３６ｄ  秒針正転ボタン、４１  時計通信部、４１ａ  時計送信部、４１ｂ  時計受信部、４２  時刻合わせ部、４３  時刻針、５０ａ  第１の差情報、５０ｂ  第２の差情報、５１  基準時刻情報、５２  現在時刻情報、５３  時間差情報。
【図１】
2017142120.tif 000003
【図２】
2017142120.tif 000004
【図３】
2017142120.tif 000005
【図４】
2017142120.tif 000006
【図５】
2017142120.tif 000007
【図６】
2017142120.tif 000008
【図７】
2017142120.tif 000009
【図８】
2017142120.tif 000010